(57)【要約】【課題】    液晶表示ユニットを構成する基板ボックスの各実装部品を見易くすることである。【解決手段】  基板ボックスＢの前面に液晶表示器Ｄを一体に装着して液晶表示ユニットＵが構成され、遊技盤１の背面に固定した液晶表示ユニットホルダーＨ1 の基板ボックス設置部７２には、前記液晶表示器Ｄを挿入可能な挿通開口７３が設けられて、前記液晶表示ユニットＵ全体が前記液晶表示ユニットホルダーＨ1 に着脱可能となった遊技機であって、前記基板ボックスＢに収容される液晶表示制御基板Ｖの部品実装面は背面側を向いていて、前記液晶表示制御基板Ｖの部品実装面に接続された、液晶表示器Ｄの信号線であるフレキシブルケーブル２３は、基板ボックスＢ内で向きを変えて、そのボックス本体３０の底板部３１と蓋体５０の側板部との間に形成されたケーブル引出し溝（隙間）４２を通って、前面側に配線された構成とする。【選択図】        図４
2007089867.tif 000002
【特許請求の範囲】
【請求項１】
基板ボックスの前面に液晶表示器を一体に装着して液晶表示ユニットが構成され、遊技盤の背面に固定した液晶表示ユニットホルダーの基板ボックス設置部には、前記液晶表示器を挿入可能な挿入開口が設けられて、前記液晶表示ユニット全体が前記液晶表示ユニットホルダーに着脱可能となった遊技機であって、
前記基板ボックスに収容される液晶表示制御基板の部品実装面は背面側を向いていて、前記液晶表示制御基板の部品実装面に接続された、液晶表示器の信号線であるフレキシブルケーブルは、基板ボックス内で向きを変えて、そのボックス本体の底板部と蓋体の側板部との間に形成された隙間を通って、前面側に配線されていることを特徴とする遊技機。
【発明の詳細な説明】
【技術分野】
【０００１】
本発明は、基板ボックスの前面に液晶表示器が一体に取付けられて液晶表示ユニットが構成され、遊技盤の背面の液晶表示ユニットホルダーに前記液晶表示ユニットをワンタッチで着脱できる遊技機に関するものである。
【背景技術】
【０００２】
例えば、特許文献１には、基板ボックスの前面に液晶表示器が一体に取付けられて液晶表示ユニットにしたものが開示されている。この液晶表示ユニットは、遊技盤の裏面に取付けられ、故障時、点検時等においては、遊技盤から液晶表示ユニットを取り外して、再度取付ける必要がある。一方、液晶表示ユニットには、基板ボックスに収容された液晶表示制御基板と液晶表示器のインバータ基板とを接続するために種々の配線が必要である。上記した故障時、点検時等においては、遊技盤に対する液晶表示ユニットの着脱が簡単にできることが必要であるが、遊技盤に対する液晶表示ユニットの取付けは、ビス類により行われていることが多く、この場合には、遊技盤に対する液晶表示ユニットの着脱が面倒であると共に、多くの時間も要する。更に、液晶表示ユニットの前記配線が大きな弛みを有していると、遊技盤に対する液晶表示ユニットの着脱時において、配線が周囲の物品に引っ掛かったりして、配線自体の損傷、コネクタ外れ等が生ずると共に、液晶表示の着脱も配線の引っ掛かりを防止しながら行わねばならないので、手間がかかる。
【０００３】
また、遊技機の液晶表示器及び液晶表示制御基板は、特に精密な部品であるために、輸送時の振動等によって初期不良を起こし易い傾向にあると共に、複雑であるために不良が発生した場合には、トラブルシューティングを行うよりも液晶表示器と液晶表示制御基板そのものを同時に交換した方がトラブルを迅速に解決できるという特質を有する。また、ホールにおける遊技機の稼働中に液晶表示器又は液晶表示制御基板にトラブルが生じた場合には、その解消を迅速に行わないと営業中における遊技機の非稼働時間が長くなって、売上げの大きな減少にも直接につながる。
【特許文献１】特開２００５−１９２８２７号公報
【発明の開示】
【発明が解決しようとする課題】
【０００４】
本発明は、液晶表示ユニットを構成する基板ボックスの各実装部品を見易くして、不具合や不正を発見し易くすると共に、遊技盤に対する液晶表示ユニットの着脱をワンタッチで行えるようにすることを課題としている。
【課題を解決するための手段】
【０００５】
上記の課題を解決するための第１解決手段は、基板ボックスの前面に液晶表示器を一体に装着して液晶表示ユニットが構成され、遊技盤の背面に固定した液晶表示ユニットホルダーの基板ボックス設置部には、前記液晶表示器を挿入可能な挿入開口が設けられて、前記液晶表示ユニット全体が前記液晶表示ユニットホルダーに着脱可能となった遊技機であって、前記基板ボックスに収容される液晶表示制御基板の部品実装面は背面側を向いていて、前記液晶表示制御基板の部品実装面に接続された、液晶表示器の信号線であるフレキシブルケーブルは、基板ボックス内で向きを変えて、そのボックス本体の底板部と蓋体の側板部との間に形成された隙間を通って、前面側に配線されていることを特徴としている。
【０００６】
第１解決手段によれば、基板ボックスに収容された液晶表示制御基板の部品実装面が背面側を向いているために、基板そのものの部品が確認し易くなって、不具合や不正の発見をし易くなる。また、液晶表示制御基板の部品実装面がフレキシブルケーブルで覆われていないので、一層に部品確認が容易となる。
【０００７】
また、基板ボックス内に収容した液晶表示制御基板に接続された極薄板状のフレキシブルケーブルは、ボックス本体の底板部と蓋体の側板部との間に形成された隙間を通って基板ボックスの外部に出ているために、基板ボックスを構成するボックス本体又は蓋体に、フレキシブルケーブルを外部に出すための専用の挿通孔を設けなくて済む。また、前記隙間にフレキシブルケーブルが挿通されることにより、基板ボックスの外部においては、基板ボックスの外面に沿ってフレキシブルケーブルを配線することが可能となって、弛みのない配線が可能となり、液晶表示ユニットホルダーに対して基板ボックスを着脱する際に、フレキシブルケーブルが周辺の物品に引っ掛からなくなるので、液晶表示ユニットホルダーに対する液晶表示ユニットの着脱が一層に容易となる。更に、ボックス本体の底板部と蓋体の側板部との間に形成された隙間に極薄板状をしたフレキシブルケーブルが挿通される構造であるので、挿通部においてフレキシブルケーブルは全く圧迫されない（外力を受けない）ため、損傷される恐れがない。
【０００８】
また、第２解決手段は、第１解決手段において、前記フレキシブルケーブルにおける基板ボックスの前面側に配線された部分は、基板ボックスと液晶表示ユニットホルダーとの間に形成された隙間に配線されていることを特徴としている。
【０００９】
第２解決手段によれば、フレキシブルケーブルは、基板ボックスから出た後には、基板ボックスの前面に廻り込んで配線されるが、フレキシブルケーブルにおける前記廻り込んで配線される部分は、基板ボックスの前面と液晶表示ユニットホルダーとの間の隙間を通って配線されるために、デリケートなフレキシブルケーブルに周囲の物品が触れることなく保護された状態にできる。
【００１０】
また、第３解決手段は、第１又は第２の解決手段において、前記基板ボックスと液晶表示器との間には、両者に対する送風冷却を行う送風装置が一体となって配設されていることを特徴としている。
【００１１】
第３解決手段によれば、送風装置の作動により、基板ボックス又は液晶表示器のいずれか一方から吸引した気流を、その他方に向けて送風できるので、一つの送風装置により、その前後に配置された異なる二つの機器の冷却を同時に行える。
【００１２】
また、第４解決手段は、第１ないし第３のいずれかの解決手段において、前記基板ボックスの対向辺部の一方と液晶表示ユニットホルダーの対応部分には、該基板ボックスの前記対向辺部と直交する方向へのスライドにより互いに係脱する関係にある係止孔と係止片が互いに形成されていると共に、前記基板ボックスの対向辺部の他方には、液晶表示ユニットホルダーに対して離脱不能に支持される支持片が前記スライド方向に突設され、前記液晶表示ユニットホルダーにおける基板ボックスの対向辺部の他方と対応する部分には、該基板ボックスの下端位置を定めるための位置決め部が形成され、スライドにより前記液晶表示ユニットホルダーに着脱可能に係止される別体の支持クリップにより前記支持片を支持して、液晶表示ユニットホルダーに対して基板ボックスの対向辺部の他方を離脱不能に支持することを特徴としている。
【００１３】
第４解決手段によれば、液晶表示ユニットを基板ボックスの前記対向辺部と直交する方向にスライドさせて、基板ボックスの対向辺部の一方と液晶表示ユニットホルダーの対応部分とのいずれか一方に形成された係止片を、その他方に形成された係止孔に挿入して係止させた後に、基板ボックスの他方の対向辺部の側において、別体のクリップ片をスライドさせて、基板ボックスの他方の対向辺部に前記スライド方向に突設された支持片を、液晶表示ユニットホルダーに対して離脱不能に支持させる。これにより、液晶表示ユニットは、これを構成する基板ボックスの対向辺部の一方において液晶表示ユニットホルダーに係止されると共に、基板ボックスの対向辺部の他方において、基板ボックスの支持片と別体の支持クリップによって、液晶表示ユニットホルダーに離脱不能に支持される。
【００１４】
一方、液晶表示ユニットホルダーから液晶表示ユニットを取り外すには、上記とは逆に、まず支持クリップを上記と逆方向にスライドさせて、基板ボックスの支持片を液晶表示ユニットホルダーに対して離脱させ、その後に、液晶表示ユニットの全体を上記と逆方向にスライドさせると、液晶表示ユニットは液晶表示ユニットホルダーから取り外される。このように、液晶表示ユニットのスライド操作と別体の支持クリップのスライド操作のみによって、殆どワンタッチで、液晶表示ユニットを液晶表示ユニットホルダーに着脱できる。このため、初期不良、稼働中の不良等によって、液晶表示ユニットの交換を行う場合において、液晶表示ユニットホルダーに対する着脱を迅速に行える。特に、稼働中の不良発生に関しては、稼働時間の減少を最小限に抑えられるという利点がある。
【００１５】
また、第５解決手段は、第１ないし第４のいずれかの解決手段において、前記液晶表示ユニットホルダーに対して基板ボックスは、その上下端部の各対向辺部で係止又は支持されていることを特徴としている。
【００１６】
第５解決手段によれば、液晶表示ユニットホルダーに対して基板ボックスが係止又は支持される各対向辺部の二つの部分は、上下方向（重力方向）に沿っていて、吊下げ支持構造にすることが可能である。このため、基板ボックスの手前側への抜け出し防止と、同じく下方へのスライド防止（落下防止）とを図れば足りるため、係止又は支持の構造が簡単となると共に、着脱操作も容易となる。この点、液晶表示ユニットホルダーに係止又は支持される基板ボックスの二つの部分が水平方向に沿っている場合には、前記二つの部分の支持バランスを図る必要があって、構造的に複雑になると共に、着脱時に左右方向のバランスを図りながら行う必要があるため、その操作が面倒であるが、第５解決手段によれば、この不具合を防止できる。
【発明の効果】
【００１７】
本発明によれば、基板ボックスに収容された液晶表示制御基板の部品実装面が背面側を向いているために、基板そのものの部品が確認し易くなって、不具合や不正の発見をし易くなる。また、液晶表示制御基板の部品実装面がフレキシブルケーブルで覆われていないので、一層に部品確認が容易となる。
【発明を実施するための最良の形態】
【００１８】
以下、本発明を実施するための最良の実施形態を挙げて、本発明を更に詳細に説明する。図１は、本発明に係る遊技機の正面図であり、図２は、同じく背面図であり、図３−Ａは、図２のＸ1 −Ｘ1 線断面図であり、図３−Ｂは、図２のＸ2 −Ｘ2 線断面図であり、図４は、液晶表示ユニットホルダーＨ1 に対して基板ボックスＢを分離させた状態の斜視図であり、図５は、液晶表示ユニットＵを液晶表示器Ｄの側から見た斜視図であり、図６は，液晶表示ユニットＵの分解斜視図であり、図７は、液晶表示器Ｄの分解斜視図であり、図８は、基板ボックスＢを構成するボックス本体３０と蓋体５０とを分離させた状態において背面側から見た分解斜視図であり、図９は、同じく前面側から見た分解斜視図である。
【００１９】
図１に示されるように、遊技盤１の前面の内外の各球案内レール２，３で囲まれた遊技領域４の中央部には、複合装置Ａが配置され、遊技盤１の背面側に装着された液晶表示ユニットＵを構成する液晶表示器Ｄが前記複合装置Ａの中央部において前面側に臨んでいる。図２ないし図４に示されるように、遊技盤１の裏面側には、コの字形の側面形状を有していて、液晶表示ユニットＵを装着するための液晶表示ユニットホルダーＨ1 が取付けられている。液晶表示ユニットホルダーＨ1 の上側は、遊技盤１の裏面に直接に取付けられており、同じく下側は、遊技盤１に直接に取付けられた主制御基板ホルダーＨ2 に取付けられている。この結果、液晶表示ユニットホルダーＨ1 が上記のようにして遊技盤１に取付けられると、液晶表示ユニットホルダーＨ1 の側面には、大きな側面開口７１が形成される。液晶表示ユニットホルダーＨ1 の基板ボックス設置部７２には、液晶表示ユニットＵを構成する液晶表示器Ｄを挿通可能な方形状の挿通開口７３が形成されている。
【００２０】
次に、図４ないし図６を参照して、液晶表示ユニットＵについて説明する。液晶表示ユニットＵは、所定の画像を液晶表示する液晶表示器Ｄと、該液晶表示器Ｄを制御する液晶表示制御基板Ｖが収容された基板ボックスＢと、該基板ボックスＢのボックス本体３０の底板部３１の裏面側に固定された状態で、前記基板ボックスＢと液晶表示器Ｄとの間に配設される送風装置Ｆとで構成される。液晶表示器Ｄは、図７に示されるように、前面が表示面１４ａ（図５及び図６参照）となった表示器本体１４の裏面側にインバータ基板１５が配置されて、該インバータ基板１５がカバー部材１６で覆われた構成である。
【００２１】
即ち、インバータ基板１５の前面に設けられたコネクタ１５ａと、表示器本体１４の裏面側に設けられたコネクタ１４ｂとが接続され、方形状をしたインバータ基板１５の四隅部にそれぞれロッド状の支持体１７が、該インバータ基板１５の表裏両面から所定長だけ突出して形成され、表示器本体１４とカバー部材１６との間にインバータ基板１５が配設された状態で、前記各支持体１７の両端面は、表示器本体１４の裏面、及びカバー部材１６の支持ロッド１６ａの端面にそれぞれ密着当接することにより、インバータ基板１５は、表示器本体１４とカバー部材１６とで支持される構成となっている。表示器本体１４とカバー部材１６との間にインバータ基板１５が上記のようにして配設された状態で、表示器本体１４の横方向の側面に突設された計３個の連結ブラケット１８と、カバー部材１６の連結ブラケット１９とがビス２１を介して連結されることにより、表示器本体１４とカバー部材１６とインバータ基板１５とは一体に組付けられる。
【００２２】
カバー部材１６は、使用状態において前面側が開口した方形箱状をなしていて、背面板部１６ｂ及び側板部１６ｃには、それぞれ多数の通風用のスリット１６ｄが形成されている。また、カバー部材１６の背面板部１６ｂと上側の側板部１６ｃとの交叉部（コーナー部）には、液晶表示制御基板Ｖを介して電力を供給する電力線５９、及び液晶表示用の信号を伝達する多数の信号線が薄板状に束ねられたフレキシブルケーブル２３を挿通するための挿通開口２４が形成されている。なお、図７において、２５は、インバータ基板１５の表面に実装された電子部品を示す。
【００２３】
液晶表示制御基板Ｖを収容した基板ボックスＢは、ボックス本体３０と蓋体５０とから成り、前記送風装置Ｆは、前記ボックス本体３０の底板部３１の裏面に形成された複数のボス３２に複数のビス２６を介して固定される。よって、ボックス本体３０と送風装置Ｆとの間には、前記ボス３２の高さに相当する隙間が形成される。また、ボックス本体３０の底板部３１の裏面の高さ方向の略中央であって、かつ幅方向の両端に位置する部分には、上下方向に沿って所定長の突部４４がそれぞれ形成されて、各突部４４に上下方向に所定間隔をおいて一対のボス４５がそれぞれ形成され、液晶表示器Ｄのカバー部材１６の背面板部１６ｂの側に形成された複数の連結ブラケット２７と前記各ボス４５とが複数本のビス２８を介して連結されることにより、ボックス本体３０の裏面側に液晶表示器Ｄが装着される。液晶表示器Ｄのカバー部材１６と送風装置Ｆとの間には、所定の隙間が形成された状態で、ボックス本体３０の裏面側に液晶表示器Ｄが装着される。
【００２４】
図８及び図９において、基板ボックスＢのボックス本体３０は、方形箱体の一辺の側板部が欠落されて開口３３が形成された形状であって、前記底板部３１と、蓋体５０のスライド挿入方向Ｐ（図８参照）に沿った一対の第１側板部３４と、スライド挿入方向Ｐと直交する方向に沿った１つの第２側板部３５とを備えている。底板部３１における液晶表示器Ｄが配置される部分には、送風装置Ｆにより生じた気流を通過させて液晶表示制御基板Ｖから発生した熱を放熱させるための多数の放熱孔３１ａが形成されている。多数の放熱孔３１ａは、内径２ｍｍ以下であって、全体形状が方形状となった２箇所の部分に集中して形成されている。ボックス本体３０の第２側板部３５と底板部３１とが接続する部分には、蓋体５０の後述する一対の第１嵌合突起５６が嵌合される左右一対の第１嵌合孔３６が形成されていると共に、第２側板部３５の横方向の中央部には、ボックス本体３０に対する蓋体５０のスライド嵌合時において、蓋体５０の蓋体側封印部６６が挿入される挿入開口３７が形成されている。また、ボックス本体３０の各第１側板部３４の下端部には、蓋体５０の後述する第２嵌合突起６９が嵌合される第２嵌合孔３８が外側に膨出して形成されている。
【００２５】
また、ボックス本体３０の外側における第２側板部３５と底板部３１との接続コーナー部であって、かつ前記各嵌合孔３６の内側の部分には、液晶表示ユニットＵを液晶表示ユニットホルダーＨ1 に装着する際に、該ホルダーＨ1 の係止孔７９（図３及び図４参照）と係止する左右一対の係止突起３９が前記スライド挿入方向Ｐに沿って突設されている。また、ボックス本体３０の底板部３１の下端部は、段差状となって他の部分よりも僅かに高く形成されていて、底板部３１の段差状底板部３１ｂの下端面であって、かつ横方向の中央部には、ボックス本体３０に対する蓋体５０のスライド嵌合時において、蓋体５０の外側第２側板部５４ａに形成された嵌合孔５８に嵌合される嵌合突起４１が前記スライド挿入方向Ｐに沿って突設されている。
【００２６】
ボックス本体３０に対して蓋体５０がスライド挿入されて、一体に組み付けられた状態では、ボックス本体３０の段差状底板部３１ｂの下端面は、蓋体５０を構成する下方の第２側板部５４の内側面に当接する構成である。そして、前記当接状態においても、ボックス本体３０及び蓋体５０に一切の加工を施すことなく、液晶表示制御基板Ｖに接続された前記フレキシブルケーブル２３を基板ボックスＢの外側に引き出し可能なように、ボックス本体３０の段差状底板部３１ｂの下端面には、前記フレキシブルケーブル２３の幅よりも僅かに長くて、その厚さよりも深いケーブル引出し溝４２（図８及び図９参照）が形成されている。このため、前記ケーブル引出し溝４２にフレキシブルケーブル２３を通して基板ボックスＢの外部に引き出すことにより、フレキシブルケーブル２３は全く圧迫されることはない（外力を受けない）ために、基板ボックスＢの引出し部において損傷等されることはない。
【００２７】
一方、図８及び図９に示されるように、蓋体５０は、表面の実装面Ｖ1 に実装した電子部品５１を後述する天板部５２の側に向けて収容した液晶表示制御基板Ｖを収容した状態で、ボックス本体３０の開口３３からスライド挿入方向Ｐにスライド挿入させて、ボックス本体３０の内側に収容される部材であって、天板部５２と、スライド挿入方向Ｐに沿った一対の第１側板部５３と、スライド挿入方向Ｐと直交する方向に沿った一対の第２側板部５４とを備えている。蓋体５０の反スライド挿入側の第２側板部５４は、スライド挿入方向Ｐに沿って段差状に形成されて、外側第２側板部５４ａと内側第２側板部５４ｂとで構成され、各第２側板部５４ａ，５４ｂの間に基板取付板部５５が形成されている。液晶表示制御基板Ｖは、スライド挿入方向Ｐに沿った一端部が前記基板取付板部５５の裏面側にビス固定されると共に、その他端部は、第２側板部５４の内側に形成された挿入溝（図示せず）に挿入されることにより、蓋体５０に取付けられる。
【００２８】
蓋体５０の第２側板部５４の開口に臨む部分には、ボックス本体３０の左右一対の第１嵌合孔３６に嵌合される左右一対の第１嵌合突起５６がスライド挿入方向Ｐに沿って突設されている。一対の第１側板部５３の外側における下端部であって、しかも開口に臨む部分には、ボックス本体の左右一対の第２嵌合孔３８に嵌合される第２嵌合突起６９がスライド挿入方向Ｐに沿って設けられている。
【００２９】
また、外側第２側板部５４ａの外側の開口に臨む部分であって、しかも横方向の中央部には、液晶表示ユニットＵを液晶表示ユニットホルダーＨ1 に装着する際に、液晶表示ユニットＵを構成する基板ボックスＢの下端部を支持するための略方形状の支持片５７がスライド挿入方向Ｐに突設されている。前記支持片５７には、その全周にリブ５７ａが設けられている。外側第２側板部５４ａの前記支持片５７が設けられた部分には、ボックス本体３０の嵌合突起４１を嵌合させるための嵌合孔５８が形成され、ボックス本体３０に対して蓋体５０をスライド挿入端までスライド挿入させると、ボックス本体３０の嵌合突起４１が蓋体５０の嵌合孔５８に相対的に挿入されて、前記嵌合突起４１は前記支持片５７と重なり合った状態となる（図３及び図１３参照）。また、外側第２側板部５４ａに設けられた支持片５７の側方には、コネクタ５９ａ，６１ａ（図１３参照）により液晶表示制御基板Ｖを介して分岐接続される電力線５９，６１の引出し部を支持して、基板ボックスＢの反対側（内側）に大きな弛みを生じさせることなく廻り込ませるためのフック部６０が形成されている。
【００３０】
また、蓋体５０の基板取付板部５５には、液晶表示制御基板Ｖに設けられた各コネクタ（図示せず）を外側に臨ませるための各コネクタ挿入孔６２ないし６４が横方向に形成されている。コネクタ挿入孔６２には、外部から液晶表示制御基板Ｖに供給される電力を受け入れるためのコネクタが挿入され、コネクタ挿入孔６３には、外部から液晶表示制御基板Ｖに供給される諸信号を受け入れるためのコネクタと、インバータ基板１５に液晶表示制御基板Ｖを介して電力を供給するコネクタとが挿入され、コネクタ挿入孔６４には、送風装置Ｆに液晶表示制御基板Ｖを介して電力を供給するためのコネクタがそれぞれ挿入される。また、蓋体５０の天板部５２には、液晶表示制御基板Ｖに実装された各電子部品５１から発せられる熱を基板ボックスＢ外に放熱させるための内径２ｍｍ以下の多数の放熱孔５２ａが形成されている。
【００３１】
また、ボックス本体３０と蓋体５０との間に液晶表示制御基板Ｖが収容された状態で、ボックス本体３０の本体側封印部４３と蓋体５０の蓋体側封印部６６とは、ねじ込み方向にのみ回転可能なワンウェイビス６７を介して封印される。なお、図１，図６及び図１２において、８は、送風装置Ｆの羽根体を示す。
【００３２】
図１０は、液晶表示ユニットＵを液晶表示器Ｄの側から見た図であり、図１１は、図１０のＹ1 −Ｙ1 線断面図であり、図１２は、図１０のＹ2 −Ｙ2 線断面図である。液晶表示ユニットＵは、液晶表示制御基板Ｖを収容した基板ボックスＢの裏面側に液晶表示器Ｄが装着され、更に基板ボックスＢのボックス本体３０と液晶表示器Ｄとの間に表裏両面に所定の隙間を形成して送風装置Ｆが装着された構成である（図５及び図１２参照）。図４、図５、図１０及び図１１において、前記液晶表示ユニットＵにおいて、液晶表示制御基板Ｖの下端部に接続されているフレキシブルケーブル２３は、液晶表示制御基板Ｖの下端において奥側（液晶表示器Ｄの側）に９０°向きを変えて、ボックス本体３０の段差状底板部３１ｂに形成されたケーブル引出し溝４２を通ってボックスＢの外部に出た後に、更に同方向に９０°向きを変えてボックス本体３０の前面側の送風装置Ｆの側方において上方に向けて延び、液晶表示器Ｄの部分で上記と逆方向に９０°向きを変えて、液晶表示器Ｄのカバー部材１６に形成された挿通開口２４に入り込んで、内部のインバータ基板１５に接続されている。フレキシブルケーブル２３は、基板ボックスＢの前面側においては、後述の配線空間８５及び前記配線空間７０を通って配線されるために、この部分のフレキシブルケーブル２３は、周辺の物品に触れることがなくなって、保護された状態となる。このため、液晶表示制御基板Ｖからインバータ基板１５を介して液晶表示器Ｄに種々の制御信号を送るためのフレキシブルケーブル２３は、基板ボックスＢを構成するボックス本体３０及び蓋体５０に挿通孔等を加工することなく、基板ボックスＢから外部に引き出すことが可能になると共に、フレキシブルケーブル２３における基板ボックスＢと液晶表示器Ｄとの間で外部に露出されている部分は、全く弛みを生ずることなく最短経路に配置される。
【００３３】
また、蓋体５０の基板取付板部５５に形成したコネクタ挿入孔６３の一部、及び同６４に挿入された液晶表示制御基板Ｖの各コネクタ１０１，１０２（図６参照）には、液晶表示制御基板Ｖを介してインバータ基板１５及び送風装置Ｆに電力を供給するための各電力線５９，６１の一端のコネクタ５９ａ，６１ａがそれぞれ接続されて、各電力線５９，６１の引出し部は、蓋体５０の外側第２側板部５４ａに形成された前記フック部６０に支持されて、基板ボックスＢの裏面側に廻り込み、電力線５９は、液晶表示器Ｄのカバー部材１６の挿通開口２４から内部に挿通されて、インバータ基板１５に接続されていると共に、電力線６１は、基板ボックスＢの裏面側に廻り込んで、送風装置Ｆのモータ部（図示せず）に接続されている。このため、各電力線５９，６１に関しても、基板ボックスＢの下方において殆ど弛みを生ずることなく、基板ボックスＢの裏面側に廻り込んで配線される。
【００３４】
このように、液晶表示器Ｄ及び送風装置Ｆを作動させる電力は、これらを裏面側に装着している基板ボックスＢに収容された液晶表示制御基板Ｖを介して供給されていて、電源（図示せず）から個別に供給される構造ではない。このように、後述の電力線１０３によって液晶表示器Ｄ及び送風装置Ｆに必要とされる電力の供給を液晶表示制御基板Ｖに一括して受けて、液晶表示器Ｄ及び送風装置Ｆに必要とされる電力は、液晶表示制御基板Ｖから分岐して供給される構成となっている。このため、主電源（図示せず）に接続される電力線の数が減少する（本件の場合には、３本が１本に減少する）と共に、電力線の総長も短くできる。本実施例の場合には、液晶表示制御基板Ｖから液晶表示器Ｄ及び送風装置Ｆに電力を供給する電力線５９，６１は、基板ボックスＢの下端部からその表側に引き出された後に、基板ボックスＢの裏側に弛みを殆ど生ずることなく廻り込んで配線されているために、液晶表示ユニットホルダーＨ1 に対して液晶表示ユニットＵを着脱する際に、弛んだ電力線が周辺物品に引っ掛かって、前記着脱装置が面倒になる不具合も解消できる。また、トラブル発生の際に、電源との接続を絶つコネクタの数は１つで済むので、この点に関しても前記着脱操作が簡単となる。
【００３５】
また、図１２に示されるように、基板ボックスＢと液晶表示器Ｄとの間に送風装置Ｆが表裏両面に所定の隙間を設けて配設されているために、送風装置Ｆの作動により、外部から吸引された気流が液晶表示器Ｄのカバー部材１６のスリット１６ｄを通って内部に流入して、インバータ基板１５の表面に直接に気流が及んで発熱している電子部品２５を冷却させると共に、カバー部材１６内の圧力が外部よりも高まることにより、カバー部材１６のスリット１６ｄを通って、その内部から外部に気流が流れて、温度が高くなった空気がカバー部材１６の外部に排出されて、温度の低い新たな空気がカバー部材１６の内部に導入される。送風装置Ｆの上記作用によって、液晶表示器Ｄのインバータ基板１５を構成する発熱性を有する電子部品２５の発熱が抑制される。
【００３６】
また、送風装置Ｆが外部の空気を吸引する際に、基板ボックスＢのボックス本体３０の底板部３１に形成されている放熱孔３１ａを通して、基板ボックスＢの内部の温度が高くなった空気も吸引される（液晶表示器Ｄのカバー部材１６に流入する空気の一部のみが、基板ボックスＢ内からの空気である）。基板ボックスＢにおいては、液晶表示制御基板Ｖの周縁と蓋体５０の内面との間には所定の隙間６８が形成されているために、蓋体５０の天板部５２と液晶表示制御基板Ｖとの間に貯留されている温度の高まった空気は、前記隙間６８及びボックス本体３０の底板部３１の放熱孔３１ａを通って、基板ボックスＢの外部に吸引排出される。このため、送風装置Ｆの空気吸引力が基板ボックスＢ内にも及んで、基板ボックスＢ内に気流が発生することにより、液晶表示制御基板Ｖに実装した電子部品５１の発熱が抑制される。
【００３７】
次に、図２ないし図４、及び図１３を参照して、液晶表示ユニットホルダーＨ1 に対する液晶表示ユニットＵの着脱構造について説明する。液晶表示ユニットホルダーＨ1 の基板ボックス設置部７２には、液晶表示器Ｄを挿通させるための挿通開口７３が形成され、前記基板ボックス設置部７２は、挿通開口７３を挟んで上方設置部７２ａと下方設置部７２ｂとに分離されている。上方設置部７２ａの上端部には、基板ボックスＢの上端面（ボックス本体３０の上方の第２側板部３５の外側面）を当接させて、基板ボックス設置部７２に対する基板ボックスＢの上端位置を定めるための第１位置決め部７４が背面側に突出して形成されている。下方設置部７２ｂには、基板ボックス設置部７２に対する基板ボックスＢの下端位置を定めるための左右一対の第２位置決め体７６が設けられ、該第２位置決め体７６に自由端側に形成された段差部のうち水平面となっている部分が、基板ボックスＢの下端面を当接させて上下方向の位置決めを行うための第２位置決め部７６ａとなっている。また、下方設置部７２ｂにおける前記挿通開口７３に臨む部分には、基板ボックスＢの設置状態において基板ボックスＢの裏面との間に所定の配線空間７０（図３参照）が形成されるように横桟部材７５が設けられている。このため、基板ボックスＢは、前記第１及び第２の各位置決め部７４，７６ａと、前記挿通開口７３の両側方に上下方向に沿って形成された各側板部７７とで形成されるボックス収容空間７８に収容される構成となっている。また、ボックス収容空間７８に基板ボックスＢが収容された状態において、基板ボックスＢの下端部と液晶表示ユニットホルダーＨ1 の第２基板ボックス設置部７２ｂを構成する板部との間には、大きな配線空間８５が形成されている〔図３−Ｂ参照〕。
【００３８】
また、基板ボックス設置部７２の上方設置部７２ａと第１位置決め部７４とが交叉する入隅部には、基板ボックスＢのボックス本体３０に形成された左右一対の係止突起３９を挿入係止させるための左右一対の係止孔７９（図３及び図４参照）が形成されている。
【００３９】
また、図２ないし図４及び図１３に示されるように、液晶表示ユニットホルダーＨ1 に形成された左右一対の第２位置決め部７６の間にはボックス支持体８０が設けられ、該ボックス支持体８０の背面は、前記ボックス収容空間７８に収容された基板ボックスＢの蓋体５０の支持片５７を重ね合わせた状態で載置されるためのボックス支持面８０ａとなっている。液晶表示ユニットホルダーＨ1 における中央の第２位置決め部７６の直下の部分は、後述の支持クリップＣをスライド挿入して配置するための段差溝状の支持クリップ配置部８１となっている。支持クリップ配置部８１は、中央の第２位置決め部７６に対して低くなるような段差溝状に形成されて、左右方向に対向する各内壁面には、スライド挿入溝８２が上下方向に形成され、底面には、支持クリップＣの係止部９６と係止可能な係止爪８３が奥方に弾性変形可能に形成されている。
【００４０】
また、支持クリップＣは、使用状態において上端面が開口したクリップ本体９１の上端部に、中央の第２位置決め部７６と、該位置決め部７６に重ね合わせられた基板ボックスＢの支持片５７とを上方から覆って基板ボックスＢが浮き上がるのを防止するための覆い部９２が背面側に大きく膨出して形成され、クリップ本体９１の両側部に、液晶表示ユニットホルダーＨ1 の支持クリップ配置部８１に形成された左右一対のスライド挿入溝８２にスライド挿入されるスライド挿入部９３がスライド挿入方向に沿って形成され、クリップ本体９１の背面板部９４に、前記支持クリップ配置部８１に設けられた係止爪８３と支持クリップＣの係止部９６との係止を解除するための係止解除孔９５が形成され、更にクリップ本体９１の背面板部９４と覆い部９２の接続部の裏面側に、前記支持クリップ配置部８１に形成された係止爪８３と係止する係止部９６（図３参照）が幅方向（横方向）に形成された構成である。なお、９７は、クリップ本体９１の背面板部９４に形成された滑止め部を示す。
【００４１】
なお、基板ボックスＢの蓋体５０の基板取付板部５５に形成されたコネクタ挿入孔６２には、液晶表示制御基板Ｖに電力を供給するための電力線１０３のコネクタ１０３ａと接続される液晶表示制御基板Ｖのコネクタ１０４が外側に僅かに突出した状態で入り込んでおり、コネクタ挿入孔６３の一部には、外部から液晶表示制御基板Ｖに信号を入力するための信号線１０５のコネクタ１０５ａと接続される液晶表示制御基板Ｖのコネクタ１０６が挿入される。
【００４２】
図１３は、液晶表示ユニットホルダーＨ1 のボックス収容空間７８に収容された基板ボックスＢの支持片５７を支持クリップＣで支持する状態を示す部分斜視図であり、図１４は、支持クリップＣをスライド挿入させて基板ボックスＢの支持片５７を支持する途中の状態の縦断面図であり、図１５は、支持クリップＣを外して基板ボックスＢを取り外す状態を示す縦断面図であり、図１６は、液晶表示ユニットホルダーＨ1 から基板ボックスＢが取り外された状態の縦断面図である。上記したように、液晶表示ユニットＵの液晶表示制御基板Ｖから基板ボックスＢの裏面側には、フレキシブルケーブル２３及び電力線５９，６１が殆ど弛みを生ずることなく廻り込んでいて、この液晶表示ユニットＵを液晶表示ユニットホルダーＨ1 に取付けるには、以下のようにして行う。
【００４３】
まず、図４において、液晶表示ユニットＵの基板ボックスＢを前傾姿勢にして、その上端部に設けられた左右一対の係止突起３９を、液晶表示ユニットホルダーＨ1 に形成された左右一対の係止孔７９に挿入することにより、液晶表示ユニットＵの液晶表示器Ｄを液晶表示ユニットホルダーＨ1 の挿通開口７３に挿通させると共に、液晶表示ユニットホルダーＨ1 の基板ボックス設置部７２に基板ボックスを設置して、ボックス収容空間７８に基板ボックスＢを収容させる。これにより、図１３に示されるように、基板ボックスＢの支持片５７は、液晶表示ユニットホルダーＨ1 のボックス支持体８０のボックス支持面８０ａに重ね合わせられる。
【００４４】
次に、図１４に示されるように、液晶表示ユニットホルダーＨ1 の支持クリップ配置部８１に形成された左右一対のスライド挿入溝８２に、支持クリップＣのスライド挿入部９３を挿入して上方にスライドさせると、支持クリップＣの係止部９６が、支持クリップ配置部８１に形成された係止爪８３を奥方に弾性変形させて、前記係止部９６が係止爪８３の部分を通過すると、前記係止爪８３は、弾性復元力により原形状に復元して、前記係止爪８３と支持クリップＣの係止部９６が係止する。これにより、基板ボックスＢの支持片５７は支持クリップＣの覆い部９２により覆われると共に、支持クリップＣは後退不能となって、基板ボックスＢの下端部は、背面側に向けて浮き上がり不能となって、液晶表示ユニットホルダーＨ1 の基板ボックス設置部７２に基板ボックスＢが設置される。
【００４５】
一方、液晶表示ユニットホルダーＨ1 の基板ボックス設置部７２に設置された基板ボックスＢを取り外すには、図１５に示されるように、支持クリップＣの係止解除孔９５にロッド９８を挿入して、係止爪８３を奥方に弾性変形させた状態のままで、支持クリップＣを下方にスライドさせると、係止爪８３と支持クリップＣの係止部９６との係止が解除されて、液晶表示ユニットホルダーＨ1 の基板ボックス設置部７２から基板ボックスＢを背面側に向けて取り外すことができる。
【００４６】
上記したように、液晶表示ユニットホルダーに対して基板ボックスを着脱する際において、フレキシブルケーブル２３及び各電力線５９，６１は、基板ボックスＢの外面に沿って配線されて、その裏面側に廻り込んでいて、弛みが殆ど生じていないため、フレキシブルケーブル２３及び各電力線５９，６１が周辺の物品に引っ掛からなくなるので、前記着脱が一層に容易となる。また、液晶表示制御基板Ｖの電子部品５１の実装面Ｖ1 が背面側を向いているのに加えて、フレキシブルケーブル２３が液晶表示制御基板Ｖの電子部品５１の実装面Ｖ1 を覆うことがなくなるので、前記基板Ｖの前面の部品面が見え易くなって、不具合や不正を発見し易くなる。
【００４７】
また、上記実施例では、液晶表示ユニットＵの基板ボックスＢの長辺が上下方向となるように配置されて、その上下端部において基板ボックスＢを液晶表示ユニットホルダーＨ1 に支持してあるために、基板ボックスの手前側への抜け出し防止と、同じく下方へのスライド防止（落下防止）とを図る構造にすれば足りるため、係止又は支持の構造が簡単となると共に、上記したように殆どワンタッチで着脱できて、その操作も容易となる利点を有する。しかし、本発明においては、液晶表示ユニットホルダーＨ1 に対する基板ボックスＢの支持位置は、基板ボックスＢにおける横方向（水平方向）に沿って対向する各辺部で支持することも可能である。
【００４８】
また、上記実施例では、液晶表示ユニットホルダーＨ1 の側に係止孔７９を、基板ボックスＢの側に係止突起３９をそれぞれ形成して、前記係止孔７９に前記係止突起３９を挿入係止させているが、係止孔と係止突起の形成は、上記と逆にしてもよい。
【図面の簡単な説明】
【００４９】
【図１】本発明に係る遊技機の正面図である。
【図２】同じく背面図である。
【図３−Ａ】図２のＸ1 −Ｘ1 線断面図である。
【図３−Ｂ】図２のＸ2 −Ｘ2 線断面図である。
【図４】液晶表示ユニットホルダーＨ1 に対して基板ボックスＢを分離させた状態の斜視図である。
【図５】液晶表示ユニットＵを液晶表示器Ｄの側から見た斜視図である。
【図６】液晶表示ユニットＵの分解斜視図である。
【図７】液晶表示器Ｄの分解斜視図である。
【図８】基板ボックスＢを構成するボックス本体３０と蓋体５０とを分離させた状態において背面側から見た分解斜視図である。
【図９】同じく前面側から見た分解斜視図である。
【図１０】液晶表示ユニットＵを液晶表示器Ｄの側から見た図である。
【図１１】図１０のＹ1 −Ｙ1 線断面図である。
【図１２】図１０のＹ2 −Ｙ2 線断面図である。
【図１３】液晶表示ユニットホルダーＨ1 のボックス収容空間７８に収容された基板ボックスＢの支持片５７を支持クリップＣで支持する状態を示す部分斜視図である。
【図１４】支持クリップＣをスライド挿入させて基板ボックスＢの支持片５７を支持する途中の状態の縦断面図である。
【図１５】支持クリップＣを外して基板ボックスＢを取り外す状態を示す縦断面図である。
【図１６】液晶表示ユニットホルダーＨ1 から基板ボックスＢが取り外された状態の縦断面図である。
【００５０】
Ｂ：基板ボックス
Ｃ：支持クリップ
Ｄ：液晶表示器
Ｆ：送風装置
Ｈ1 ：液晶表示ユニットホルダー
Ｖ：液晶表示制御基板
Ｖ1 ：液晶表示制御基板の部品実装面
１：遊技盤
３０：ボックス本体
３１：ボックス本体の底板部
３５：ボックス本体の第２側板部（対向辺部）
３９：係止突起
４２：ケーブル引出し溝（隙間）
５０：蓋体
５４ａ：外側第２側板部（対向辺部）
５７：支持片
７０，８５：配線空間
７２：基板ボックス設置部
７３：挿通開口
７９：係止孔
【図１】
2007089867.tif 000003
【図２】
2007089867.tif 000004
【図３−Ａ】
2007089867.tif 000005
【図３−Ｂ】
2007089867.tif 000006
【図４】
2007089867.tif 000007
【図５】
2007089867.tif 000008
【図６】
2007089867.tif 000009
【図７】
2007089867.tif 000010
【図８】
2007089867.tif 000011
【図９】
2007089867.tif 000012
【図１０】
2007089867.tif 000013
【図１１】
2007089867.tif 000014
【図１２】
2007089867.tif 000015
【図１３】
2007089867.tif 000016
【図１４】
2007089867.tif 000017
【図１５】
2007089867.tif 000018
【図１６】
2007089867.tif 000019